(57)【要約】【課題】高価な合成樹脂を用いることなく、周囲の温度変化に伴う膨張又は収縮や歪みを抑制可能な遊技盤を備えてなるパチンコ機を提供する。【解決手段】遊技盤２に、その前面から後面にわたって貫通する大径スリット３６Ａ、３６Ｂ、小径スリット３７Ａ、３７Ｂ、及び通気窓３８を開設し、遊技盤２の表面積を増した。したがって、遊技盤２に伝わった熱が、特に大径スリット３６Ａ、３６Ｂ、小径スリット３７Ａ、３７Ｂ、及び通気窓３８といった開口の断面から効果的に放出されるため、遊技盤２の膨張を抑制することができる。また、大径スリット３６Ａ、３６Ｂ、小径スリット３７Ａ、３７Ｂ、及び通気窓３８を設けることで、遊技盤２の外周縁よりも内方で膨張又は収縮を逃がすことができる。したがって、遊技盤２全体での変形量（膨張量又は収縮量）を低減することができる。【選択図】図３
2010088631.tif 000002
【特許請求の範囲】
【請求項１】
前面に遊技球が流下する遊技領域を形成した合成樹脂製の板状部材からなる遊技盤を設置したパチンコ機であって、
前記遊技盤に、その前面から後面にわたって貫通する開口を開設し、前記遊技盤の表面積を増やすとともに、前記遊技盤の熱を、前記開口の断面部から放熱させることを特徴とするパチンコ機。
【請求項２】
前記開口を、前記遊技盤の中央を中心とした円周に沿う円弧状に形成したことを特徴とする請求項１に記載のパチンコ機。
【請求項３】
前記開口を、前記遊技領域内に設置される遊技部材によって覆うとともに、前記遊技部材に前記開口と連通する空気孔を設けており、
前記遊技盤の前方と後方とで空気に温度差が生じると、その空気が、前記開口及び前記空気孔を介して前記遊技盤の前方と後方との間を流動することを特徴とする請求項１又は２に記載のパチンコ機。
【発明の詳細な説明】
【技術分野】
【０００１】
本発明は、合成樹脂製の遊技盤を備えてなるパチンコ機に関するものである。
【背景技術】
【０００２】
近年、遊技性の向上を図るべく、遊技盤を透明な合成樹脂により成形するとともに、当該遊技盤の後方に大型の液晶表示装置を設置し、遊技盤（遊技領域）全体を映像表示画面としたパチンコ機が考案されている（たとえば、特許文献１）。
【０００３】
【特許文献１】特開２００５−１５２５８０号公報
【発明の開示】
【発明が解決しようとする課題】
【０００４】
しかしながら、合成樹脂により成形された遊技盤は周囲の温度変化に影響を受けやすく、たとえば液晶表示装置の熱によって表面が膨張し、遊技領域内に設置された遊技釘同士の間隔が大きく変化して、たとえば遊技球がチューリップ式電動役物へ入賞できなくなる等といった不具合が起こるおそれがある。また、遊技盤の前方と後方とで温度差が生じると、遊技盤の前面と後面との熱膨張量が異なり、遊技盤全体が前方又は後方へ反ってしまうという事態も起こっていた。そして当該問題は、設置する液晶表示装置の大型化に伴いより顕著となっている。
また、上記問題の解決にあたり、熱の影響を受けにくい、すなわち熱変形しにくい合成樹脂の採用も考えられるが、そのような合成樹脂は比較的高価である上、加工性に劣り遊技盤の作製には不向きである等といった問題がある。
【０００５】
そこで、本発明は、上記問題に鑑みなされたものであって、高価な合成樹脂を用いることなく、周囲の温度変化に伴う膨張又は収縮や歪みを抑制可能な遊技盤を備えてなるパチンコ機を提供しようとするものである。
【課題を解決するための手段】
【０００６】
上記目的を達成するために、本発明のうち請求項１に記載の発明は、前面に遊技球が流下する遊技領域を形成した合成樹脂製の板状部材からなる遊技盤を設置したパチンコ機であって、前記遊技盤に、その前面から後面にわたって貫通する開口を開設し、前記遊技盤の表面積を増やすとともに、前記遊技盤の熱を、前記開口の断面部から放熱させることを特徴とする。
請求項２に記載の発明は、請求項１に記載の発明において、前記開口を、前記遊技盤の中央を中心とした円周に沿う円弧状に形成したことを特徴とする。
請求項３に記載の発明は、請求項１又は２に記載の発明において、前記開口を、前記遊技領域内に設置される遊技部材によって覆うとともに、前記遊技部材に前記開口と連通する空気孔を設けており、前記遊技盤の前方と後方とで空気に温度差が生じると、その空気が、前記開口及び前記空気孔を介して前記遊技盤の前方と後方との間を流動することを特徴とする。
【発明の効果】
【０００７】
本発明によれば、遊技盤に、その前面から後面にわたって貫通する開口を開設しているため、遊技盤の表面積が増す。したがって、遊技盤に伝わった熱を、特に開口の断面から放出することができ、遊技盤の膨張を抑制することができる。また、開口を設けることで、遊技盤の外周縁よりも内方で膨張又は収縮を逃がすことができる。したがって、遊技盤全体での変形量（膨張量又は収縮量）を低減することができる。
また、請求項２に記載の発明によれば、開口を、遊技盤の中央を中心とした円周に沿う円弧状に形成しているため、当該開口において膨張又は収縮を無理なく逃がすことができ、遊技領域に撓みが生じる事態を効果的に抑制することができる。
さらに、請求項３に記載の発明によれば、開口を、遊技領域内に設置される遊技部材によって覆うとともに、遊技部材に開口と連通する空気孔を設けており、遊技盤の前方と後方とで空気に温度差が生じると、その空気が、開口及び空気孔を介して遊技盤の前方と後方との間を流動するようにした。そのため、たとえば遊技盤の後方に搭載される液晶表示装置等により、遊技盤の後方が前方よりも温度が高くなったとしても、空気が流動して遊技盤の後方と前方とでの温度差が低減し、ひいては遊技盤の後面と前面との間で変形量（膨張量又は収縮量）に差が生じない。したがって、遊技盤に生じる反りを低減することができる。
【発明を実施するための最良の形態】
【０００８】
以下、本発明の実施形態となるパチンコ機について、図面にもとづき詳細に説明する。
【０００９】
図１は、第１実施例となるパチンコ機１を正面から示した説明図である。また、図２は、パチンコ機１の遊技盤２を正面から示した説明図であり、図３は、遊技盤２のみを正面から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠（図示せず）を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間（遊技盤２の前面）に遊技領域２ａは形成されている。さらに、遊技領域２ａは、円弧状に配設された図示しない外レース及び内レール等によって囲まれており、両レール間が遊技球を遊技領域２ａ内へ打ち込むための発射通路とされている。
【００１０】
該遊技領域２ａの略中央には、「０」〜「９」の数字や絵柄等からなる「図柄」を表示するための図柄表示領域６が設けられているとともに、遊技球がその上面を左右に揺動するステージ部材１２、ステージ部材１２上へ遊技球を導くためのワープ等の誘導部材２１や図柄表示領域６への遊技球の進入を防止するための庇部材１３等を一体的に組み付けてなるセンター部材１１が設置されている。さらに、遊技領域２ａには、多数の遊技釘（図示せず）、遊技球が通過可能なゲート部材２２、一対の爪片を開閉動作可能に備えたチューリップ式電動役物２３、開閉可能な扉部材を有する大入賞装置２４、複数の入賞口が並設された入賞部材２５、風車（図示せず）等が設置されている。尚、チューリップ式電動役物２３や大入賞装置２４等にも遊技球が入賞可能な入賞口が設けられている。また、庇部材１３の前面には、左右方向へ長いスリット状の空気孔１４が複数並設されている。
【００１１】
また、遊技盤２の下方には、遊技球を発射装置（図示せず）へ供給するための供給皿７、及び供給皿７から溢れた遊技球を貯留するための貯留皿８が機枠３に対して夫々片開き可能に取り付けられている。さらに、貯留皿８の右側には、発射装置を作動させるための発射ハンドル９が設置されている。
加えて、遊技盤２の後面には、「図柄」を図柄表示領域６に表示させるとともに遊技領域全体を映像表示画面として種々の映像を表示する大型の液晶表示装置、遊技に係る制御（たとえば、所謂「大当たり抽選」や液晶表示装置における表示制御等）を行う制御装置等が設置されている。
【００１２】
以上のようなパチンコ機１では、遊技者によって発射ハンドル９が回動操作されると、発射装置が作動し、遊技球が外レールと内レール６の間を通って遊技領域２ａ内へ打ち込まれる。そして、遊技領域２ａを流下する遊技球がチューリップ式電動役物２３へ入賞すると、制御装置にて「大当たり抽選」を行い、所謂「大当たり」である場合には、図柄表示領域６に図柄を所定態様で表示させた後、大入賞装置２４の扉部材を所定回数にわたって断続的に開成させるといった所謂「大当たり状態」を生起させる。
【００１３】
次に、本発明の要部となる遊技盤２について説明する。
遊技盤２は、透明な合成樹脂（たとえば、アクリル樹脂）からなる正面視略円形の板状体である。当該遊技盤２には、遊技釘を植設するための多数の釘孔３１、３１・・が穿設されている。また、遊技盤２の下部には、チューリップ式電動役物２３及び大入賞装置２４を取り付けるための逆Ｔ字状の大取付孔３２が設けられているとともに、大取付孔３２の左方には入賞部材２５の入賞口として機能する３つの入賞孔３３、３３・・が、大取付孔３２の右方には、サイドランプ２６を取り付けるためのランプ孔３４が夫々設けられている。さらに、遊技盤２の中央左部には、センター部材１１を設置するための設置孔３５が設けられている。
【００１４】
また、遊技盤２には、膨張又は収縮に起因する歪みを抑制するための大径スリット３６Ａ、３６Ｂと、小径スリット３７Ａ、３７Ｂとが、遊技盤２の前面から後面にわたって貫通するように設けられている。さらに、遊技盤２の上部には、遊技盤２の前後に空気を流動させるための通気窓３８が開設されている。尚、大径スリット３６Ａ、３６Ｂ、小径スリット３７Ａ、３７Ｂ、及び通気窓３８は全て、遊技盤２の遊技領域２ａよりは外方で、遊技盤２の周縁よりは内方に設けられている。
【００１５】
大径スリット３６Ａは、その左下部から中央左部にかけて円弧状に形成されており、遊技盤２の略中央を中心とした所定の円周上に位置している。該大径スリット３６Ａの右端部は、入賞孔３３、３３・・を連結した状態となっている。そして、大径スリット３６Ａは、入賞部材２５を遊技盤２に取り付けた際、入賞部材２５によって覆われるようになっている。一方、大径スリット３６Ｂは、遊技盤２の右下部において大径スリット３６Ａと同じ円周上に設けられており、ランプ孔３４の一部として形成されている。そして、大径スリット３６Ｂは、サイドランプ２６を遊技盤２に取り付けた際、サイドランプ２６によって覆われるようになっている。
【００１６】
また、小径スリット３７Ａは、遊技盤２の右側部に円弧状に設けられている。該小径スリット３７Ａは、上記大径スリット３６Ａ、３６Ｂと中心が同じであるものの径が小さな円周上に位置している。さらに、小径スリット３７Ｂは、遊技盤２の右下部において小径スリット３７Ａと同じ円周上に設けられており、ランプ孔３４の一部として形成されている。そして、小径スリット３７Ａ、３７Ｂは、サイドランプ２６を遊技盤２に取り付けた際、サイドランプ２６によって覆われるようになっている。
【００１７】
一方、通気窓３８は、遊技盤２の上部に略かまぼこ形状に設けられている。該通気窓３８の左右端部には、それぞれ小径スリット３７Ａ、３７Ｂと同じ円周上に形成された円弧状部３８Ａ、３８Ａが設けられており、左側の円弧状部３８Ａは設置孔３５と連結されている。そして、該通気窓３８（円弧状部３８Ａを含む）は、センター部材１１を遊技盤２に取り付けた際、空気孔１４、１４・・を有する庇部材１３によって覆われるようになっている。
【００１８】
ここで、上記遊技盤２に設けられた大径スリット３６Ａ、３６Ｂや小径スリット３７Ａ、３７Ｂ、及び通気窓３８による遊技盤２の歪み抑制に係る作用、効果について説明する。
遊技盤２の後面に搭載されている液晶表示装置や制御装置が生じる熱、遊技領域２ａを流下する遊技球の摩擦等に起因して、遊技盤２の前面及び後面は、熱膨張又は収縮しようとする。この際、遊技盤２では、大径スリット３６Ａ、３６Ｂや小径スリット３７Ａ、３７Ｂによって、遊技盤２の外周縁よりも内方で膨張又は収縮を逃がすことができる。したがって、遊技盤２全体での変形量（膨張量又は収縮量）を低減することができる。また、大径スリット３６Ａ、３６Ｂや小径スリット３７Ａ、３７Ｂを円弧状に形成しているため、膨張又は収縮を無理なく逃がすことができ、遊技領域２ａに撓みが生じる事態を抑制できることになる。さらに、大径スリット３６Ａ、３６Ｂや小径スリット３７Ａ、３７Ｂ、及び通気窓３８を設けたことで、遊技盤２の表面積が増す。したがって、遊技盤２に伝わった熱が、特に各スリット及び通気窓３８の断面から放出され、遊技盤２の膨張が抑制されることになる。
【００１９】
一方、パチンコ機１においては、遊技盤２の後方に搭載された液晶表示装置等により、遊技盤２の後方が前方よりも温度が高くなり、遊技盤２の後面が前面よりも大きく熱膨張又は収縮して遊技盤２が反るといった事態が起こりがちである。しかしながら、遊技盤２によれば、空気孔１４、１４・・を有する庇部材１３によって通気窓３８を覆っているため、図４に示す如く、通気窓３８を介して遊技盤２の後方から前方へかけて空気流が生じる。そのため、遊技盤２の後方と前方との間での温度差が低減し、ひいては遊技盤２の後面と前面との間で変形量（膨張量又は収縮量）に差が生じない。したがって、遊技盤２に生じる反りを低減することができる。
さらに、大径スリット３６Ａ、３６Ｂや小径スリット３７Ａ、３７Ｂ、及び通気窓３８は、センター部材１１や入賞部材２５、サイドランプ２６によって覆われるため、正面から見た際のデザイン性が損なわれることもない。
【００２０】
なお、本発明のパチンコ機に係る構成は、上記実施形態に記載の態様に何ら限定されるものではなく、遊技盤等に係る構成について、本発明の趣旨を逸脱しない範囲で必要に応じて適宜変更可能である。
【００２１】
たとえば、上記遊技盤２では、大径スリット３６Ａ、３６Ｂや小径スリット３７Ａ、３７Ｂを入賞部材２５やサイドランプ２６により覆う構成を採用しているが、入賞部材２５やサイドランプ２６に各スリットと連通する切り欠きや空気孔を設ける、入賞部材２５やサイドランプ２６を遊技盤２前面よりも浮かした状態で組み付ける等によって、通気窓３８同様、各スリットを介して遊技盤２の前方と後方とで空気を流動させるように構成してもよい。さらに、上記実施形態では、庇部材１３の前面に空気孔１４、１４・・を形成しているが、空気孔１４の形成位置は適宜変更可能であって、庇部材１３の上面や下面に設けてもよい。
また、上記遊技盤２では、各スリットを円弧状に形成しているが、必ずしも円弧状に形成する必要はなく、直線状としてもよい。さらに、通気窓３８の形状も適宜変更可能であって、小径スリット３７Ａ、３７Ｂ等と同じ円周上に位置する円弧状に形成しても何ら問題はない。またさらに、全てのスリットを同一の円周上に位置させてもよいし、スリットの数や設置位置、各スリットの長さ等も適宜設計変更可能である。
加えて、遊技盤２の形状や遊技盤２を成形する合成樹脂も上記実施形態の合成樹脂に何ら限定されることはない。
【図面の簡単な説明】
【００２２】
【図１】パチンコ機を正面から示した説明図である。
【図２】パチンコ機に設置される遊技盤を正面から示した説明図である。
【図３】遊技盤のみを正面から示した説明図である。
【図４】図２のｉ−ｉ線における断面を部分的に示した説明図である。
【符号の説明】
【００２３】
１・・パチンコ機、２・・遊技盤、２ａ・・遊技領域、１１・・センター部材（遊技部材）、１３・・庇部材（遊技部材）、１４・・空気孔、２５・・入賞部材、２６・・サイドランプ、３３・・入賞孔、３４・・ランプ孔、３５・・設置孔、３６Ａ、３６Ｂ・・大径スリット（開口）、３７Ａ、３７Ｂ・・小径スリット（開口）、３８・・通気窓（開口）。
【図１】
2010088631.tif 000003
【図２】
2010088631.tif 000004
【図３】
2010088631.tif 000005
【図４】
2010088631.tif 000006